【手続補正書】
【提出日】平成19年2月16日(2007.2.16)
【手続補正１】
【補正対象書類名】明細書
【補正対象項目名】特許請求の範囲
【補正方法】変更
【補正の内容】
【特許請求の範囲】
【請求項１】
医療デバイスであって、該医療デバイスは、
末端に開口部を有する細長ハウジング、
該ハウジングを通過するコンジットであって、該コンジットは、該開口部に吸引を提供して、標的を、該標的の少なくとも一部の断片化および切断のうちの少なくとも１つのために第１の経路に位置決めするために適合されている、コンジット、
該標的の少なくとも一部の断片化および切断のうちの少なくとも１つを実施するために充分なエネルギーを発生させるように適合された、エネルギー供給源、ならびに
該ハウジングを通過する、近位端および遠位端を有するエネルギー伝達媒体であって、該エネルギー伝達媒体は、該近位端から、該第１の経路とは異なる第２の経路に沿って該エネルギーを伝達し、該標的を通過するように方向付けるために適合されており、そして該エネルギーを、該第２の経路から該第２の経路へと再度方向付けて、該標的の少なくとも一部の断片化および切断のうちの少なくとも一方を実施するように適合されている、エネルギー伝達媒体、
を備える、医療デバイス。
【請求項２】
前記エネルギー伝達媒体が、光ファイバーを備える、請求項１に記載の医療デバイス。
【請求項３】
前記エネルギー伝達媒体の遠位端が、前記開口部の方に向いている、請求項１に記載の医療デバイス。
【請求項４】
前記エネルギー伝達媒体の遠位端が、前記エネルギーを前記第２の経路から前記第１の経路へと再度方向付けるように適合された反射性表面を備える、請求項１に記載の医療デバイス。
【請求項５】
前記エネルギー伝達媒体の遠位端が、前記開口部に対して遠位に配置されている、請求項１に記載の医療デバイス。
【請求項６】
前記エネルギー伝達媒体の遠位端が、前記開口部に対して近位に配置されている、請求項１に記載の医療デバイス。
【請求項７】
前記開口部の近くに配置されたバリアをさらに備え、該バリアは、該開口部に入る物体のサイズを制限する、請求項１に記載の医療デバイス。
【請求項８】
前記バリアが、複数の開口部を規定している、請求項７に記載の医療デバイス。
【請求項９】
前記エネルギー伝達媒体が、前記コンジットの内部に配置されている、請求項１に記載の医療デバイス。
【請求項１０】
前記エネルギー伝達媒体が、内視鏡により識別可能な非線形のマーキングを備え、該マーキングは、該エネルギー伝達媒体の長手軸に沿い、かつ該長手軸の周りでの、該エネルギー伝達媒体の動きを示す、請求項１に記載の医療デバイス。
【請求項１１】
前記マーキングが、前記エネルギー伝達媒体の長手軸の周りの螺旋を備える、請求項１０に記載の医療デバイス。
【請求項１２】
前記マーキングが、市松模様のパターンを備える、請求項１０に記載の医療デバイス。
【請求項１３】
照明用のチャネルおよび視覚化用のチャネルをさらに備える、請求項１に記載の医療デバイス。
【請求項１４】
前記第２の経路から前記第１の経路へと前記エネルギーを再度方向付けることを補助するために、前記伝達媒体の遠位端の近くに配置された光学装置をさらに備え、請求項１に記載の医療デバイス。
【請求項１５】
前記光学装置が、レンズを備える、請求項１４に記載の医療デバイス。
【請求項１６】
前記光学装置が、反射性表面を備える、請求項１４に記載の医療デバイス。
【請求項１７】
前記エネルギーが、熱、電気、光、音、無線周波、機械的力、または化学剤のうちの少なくとも１つの形態である、請求項１に記載の医療デバイス。
【請求項１８】
前記エネルギー伝達媒体が、束として一緒に合わさっている複数の光ファイバーを備える、請求項１に記載の医療デバイス。
【請求項１９】
前記光ファイバーが、材料組成物の光学コアを備え、該材料組成物が、該光ファイバーの拡大した遠位端を形成している、請求項２に記載の医療デバイス。
【請求項２０】
前記光ファイバーが、角度の付いた先端を有する、請求項２に記載の医療デバイス。
【請求項２１】
前記光ファイバーの遠位領域が、裸の光学コアおよび反射性コーティングを備える、請求項２に記載の医療デバイス。
【請求項２２】
前記光ファイバーの遠位領域が、前記エネルギーの放射を可能にするための少なくとも１つの側面窓を規定している、請求項２に記載の医療デバイス。
【請求項２３】
前記エネルギーが、ホルミウムレーザーである、請求項１に記載の医療デバイス。
【請求項２４】
医療デバイスであって、該医療デバイスは、
末端に開口部を有する細長ハウジング、
該ハウジングを通過するコンジットであって、該コンジットは、該開口部に吸引を提供して、標的を、該標的の少なくとも一部の断片化および切断のうちの少なくとも１つのために第１の経路に位置決めするために適合されている、コンジット、
該標的の少なくとも一部の断片化および切断のうちの少なくとも１つを実施するために充分なエネルギーを発生させるように適合された、エネルギー供給源、
該ハウジングを通過する、近位端および遠位端を有するエネルギー伝達媒体であって、該エネルギー伝達媒体は、該近位端から、該第１の経路とは異なる第２の経路に沿って該エネルギーを伝達するように適合されている、エネルギー伝達媒体、ならびに
該伝達媒体の遠位端と光連絡している反射性表面であって、該反射性表面は、該エネルギーを、該第２の経路から該第１の経路へと再度方向付けて、該標的の少なくとも一部の断片化および切断のうちの少なくとも一方を実施するように適合されている、反射性表面、
を備える、医療デバイス。
【請求項２５】
前記エネルギー伝達媒体が、光ファイバーを備える、請求項２４に記載の医療デバイス。
【請求項２６】
前記開口部の近くに配置されたバリアをさらに備え、該バリアは、該開口部に入る物体のサイズを制限する、請求項２４に記載の医療デバイス。
【請求項２７】
前記バリアが、複数の開口部を規定している、請求項２６に記載の医療デバイス。
【請求項２８】
前記エネルギー伝達媒体が、前記コンジットの内部に配置されている、請求項２４に記載の医療デバイス。
【請求項２９】
前記エネルギー伝達媒体が、内視鏡により識別可能な非線形のマーキングを備え、該マーキングは、該エネルギー伝達媒体の長手軸に沿い、かつ該長手軸の周りでの、該エネルギー伝達媒体の動きを示す、請求項２４に記載の医療デバイス。
【請求項３０】
前記マーキングが、前記エネルギー伝達媒体の長手軸の周りの螺旋を備える、請求項２９に記載の医療デバイス。
【請求項３１】
前記マーキングが、市松模様のパターンを備える、請求項２９に記載の医療デバイス。
【請求項３２】
照明用のチャネルおよび視覚化用のチャネルをさらに備える、請求項２４に記載の医療デバイス。
【請求項３３】
前記エネルギー伝達媒体が、束として一緒に合わさっている複数の光ファイバーを備える、請求項２４に記載の医療デバイス。
【請求項３４】
前記光ファイバーが、材料組成物の光学コアを備え、該材料組成物が、該光ファイバーの拡大した遠位端を形成している、請求項２５に記載の医療デバイス。
【請求項３５】
前記光ファイバーが、角度の付いた先端を有する、請求項２５に記載の医療デバイス。
【請求項３６】
前記光ファイバーの遠位領域が、裸の光学コアおよび反射性コーティングを備える、請求項２５に記載の医療デバイス。
【請求項３７】
前記光ファイバーの遠位領域が、前記エネルギーの放射を可能にするための少なくとも１つの側面窓を規定している、請求項２５に記載の医療デバイス。
【請求項３８】
前記エネルギーが、ホルミウムレーザーである、請求項２４に記載の医療デバイス。
【請求項３９】
標的をダクトから除去するためのシステムであって、該システムは、
医療デバイスであって、該医療デバイスは、末端に開口部を有する細長ハウジング、該ハウジングを通過するコンジット、および該ハウジングを通過するエネルギー伝達媒体を備え、該エネルギー伝達媒体は、近位端および遠位端を備える、医療デバイス、
該医療デバイスをダクトに挿入し、そして該開口部が断片化および切断のうちの少なくとも１つのために標的の近くに配置されるように、該医療デバイスを位置決めするための手段、
該開口部に吸引を提供するためのポンプに、該コンジットを接続するための手段、
該標的を第１の経路内に位置決めするための手段、
該エネルギー伝達媒体の近位端をエネルギー供給源に接続するための手段であって、該エネルギー供給源は、該標的の少なくとも一部の断片化および切断のうちの少なくとも１つを実施するために充分なエネルギーを発生させる、手段、
該エネルギーを、該エネルギー伝達媒体に通して、該第１の経路とは異なる第２の経路に沿って伝達させるための手段であって、該第２の経路は、該標的を越えるように方向付けられる、手段、
該エネルギー伝達媒体に通して、該エネルギーを該第２の経路から該第１の経路へと再度方向付けるための手段であって、これによって、該標的の少なくとも一部の断片化および切断のうちの少なくとも１つを実施する、手段、ならびに
該標的の少なくとも一部を該コンジットを通して除去するための手段、
を備える、システム。
【請求項４０】
前記再度方向付けるための手段が、前記伝達媒体の遠位端を前記開口部の方へと方向付けるための手段を備える、請求項３９に記載のシステム。
【請求項４１】
前記エネルギー伝達媒体が、光ファイバーを備える、請求項３９に記載のシステム。
【請求項４２】
前記開口部に入る任意の物体のサイズを制限するためのバリアを、前記開口部の近くに提供するための手段をさらに備える、請求項３９に記載のシステム。
【請求項４３】
ダクトから標的を除去するためのシステムであって、該システムは、
医療デバイスであって、該医療デバイスは、末端に開口部を有する細長ハウジング、該ハウジングを通過するコンジット、該ハウジングを通過するエネルギー伝達媒体、および反射性表面を備え、該エネルギー伝達媒体は、近位端および遠位端を備え、該反射性表面は、該エネルギー伝達媒体の遠位端と光連絡している、医療デバイス、
該医療デバイスをダクトに挿入し、そして該開口部が断片化および切断のうちの少なくとも１つのために標的の近くに配置されるように、該医療デバイスを位置決めするための手段、
該開口部に吸引を提供するためのポンプに、該コンジットを接続するための手段、
該標的を第１の経路内に位置決めするための手段、
該エネルギー伝達媒体の近位端をエネルギー供給源に接続するための手段であって、該エネルギー供給源は、該標的の少なくとも一部の断片化および切断のうちの少なくとも１つを実施するために充分なエネルギーを発生させる、手段、
該エネルギーを、該エネルギー伝達媒体に通して、該第１の経路とは異なる第２の経路に沿って伝達させるための手段であって、該第２の経路は、該標的を越えるように方向付けられる、手段、
該エネルギー伝達媒体に通して、該エネルギーを該第２の経路から該第１の経路へと再度方向付けるための手段であって、これによって、該標的の少なくとも一部の断片化および切断のうちの少なくとも１つを実施する、手段、ならびに
該標的の少なくとも一部を該コンジットを通して除去するための手段、
を備える、システム。
【請求項４４】
前記エネルギー伝達媒体が、光ファイバーを備える、請求項４３に記載のシステム。
【請求項４５】
前記開口部に入る任意の物体のサイズを制限するためのバリアを、前記開口部の近くに提供するための手段をさらに備える、請求項４３に記載のシステム。
【請求項４６】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；および
識別可能な印のパターンであって、該識別可能な印のパターンは、該エネルギー伝達媒体の遠位単に位置する部分に配置されており、そして該標的の少なくとも一部を断片化または切断するために該エネルギー伝達媒体を位置決めする際に、操作者を補助するように適合されている、識別可能な印のパターン、
を備える、医療デバイス。
【請求項４７】
前記エネルギー伝達媒体が、光ファイバーである、請求項４６に記載のデバイス。
【請求項４８】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；および
識別可能な印のパターンであって、該識別可能な印のパターンは、該エネルギー伝達媒体の遠位端に位置する部分に配置されており、そして該標的の少なくとも一部を断片化または切断するために該エネルギー伝達媒体を位置決めする際に、操作者を補助するように適合されており、該印は、螺旋パターンを備える、識別可能な印のパターン、
を備える、医療デバイス。
【請求項４９】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；および
識別可能な印のパターンであって、該識別可能な印のパターンは、該エネルギー伝達媒体の遠位端に位置する部分に配置されており、そして該標的の少なくとも一部を断片化または切断するために該エネルギー伝達媒体を位置決めする際に、操作者を補助するように適合されており、該印は、市松模様のパターンを備える、識別可能な印のパターン、
を備える、医療デバイス。
【請求項５０】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されており、
該標的は、第１の経路内に保持されており、そして該エネルギーは、該第１の経路とは異なる第２の経路に沿って伝達され、そして該第２の経路から該標的の方へと再度方向付けられる、エネルギー伝達デバイス；および
識別可能な印のパターンであって、該識別可能な印のパターンは、該エネルギー伝達媒体の遠位端に位置する部分に配置されており、そして該標的の少なくとも一部を断片化または切断するために該エネルギー伝達媒体を位置決めする際に、操作者を補助するように適合されている、識別可能な印のパターン、
を備える、医療デバイス。
【請求項５１】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；ならびに
識別可能な印のパターンであって、該識別可能な印のパターンは、該エネルギー伝達媒体の遠位端に位置する部分に配置されており、そして該標的の少なくとも一部を断片化または切断するために該エネルギー伝達媒体を位置決めする際に、操作者を補助するように適合されており、該識別可能な印のパターンは、非反射性コーティングおよび低反射性コーティングのうちの少なくとも１つを備える、識別可能な印のパターン、
を備える、医療デバイス。
【請求項５２】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；
識別可能な印のパターンであって、該識別可能な印のパターンは、該エネルギー伝達媒体の遠位端に位置する部分に配置されており、そして該標的の少なくとも一部を断片化または切断するために該エネルギー伝達媒体を位置決めする際に、操作者を補助するように適合されている、識別可能な印のパターン、および
ガイドワイヤであって、該ガイドワイヤの遠位端に配置された、異なる識別可能な印のパターンを有する、ガイドワイヤ、
を備える、医療デバイス。
【請求項５３】
レーザーファイバーであって、螺旋パターンを有する端部を備える、レーザーファイバー。
【請求項５４】
レーザーファイバーであって、市松模様のパターンを有する端部を備える、レーザーファイバー。
【請求項５５】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されており、該エネルギーは、該第１の経路とは異なる第２の経路に沿って伝達され、そして該第２の経路から該標的の方へと再度方向付けられる、エネルギー伝達媒体；および
識別可能な印のパターンであって、該識別可能な印のパターンは、該エネルギー伝達媒体の一部に配置されており、そして該標的の少なくとも一部を断片化または切断するために該エネルギー伝達媒体を位置決めする際に、操作者を補助するように適合されている、識別可能な印のパターン、
を備える、医療デバイス。
【請求項５６】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；ならびに
識別可能な印のパターンであって、該識別可能な印のパターンは、該エネルギー伝達媒体の一部に配置されており、そして該標的の少なくとも一部を断片化または切断するために該エネルギー伝達媒体を位置決めする際に、操作者を補助するように適合されており、該識別可能な印のパターンは、非反射性コーティングおよび低反射性コーティングのうちの少なくとも１つを備える、識別可能な印のパターン、
を備える、医療デバイス。
【請求項５７】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；
第１の識別可能な印のパターンであって、該第１の識別可能な印のパターンは、該エネルギー伝達媒体の一部に配置されており、そして該標的の少なくとも一部を断片化または切断するために該エネルギー伝達媒体を位置決めする際に、操作者を補助するように適合されている、第１の識別可能な印のパターン、および
ガイドワイヤであって、該ガイドワイヤの遠位端に配置された、第２の異なる識別可能な印のパターンを有する、ガイドワイヤ、
を備える、医療デバイス。
【請求項５８】
医療デバイスであって、該医療デバイスは、
エネルギー伝達媒体であって、該医療デバイスの近位端から該医療デバイスの遠位端へと通っており、そしてエネルギーを、該医療デバイスの近位端から、該医療デバイスの遠位端で適所に保持されている標的の方へと伝達するように適合されている、エネルギー伝達媒体；ならびに
識別可能な印のパターンであって、該識別可能な印のパターンは、該エネルギー伝達媒体の一部に配置されており、そして該標的の少なくとも一部を断片化または切断するために該エネルギー伝達媒体を位置決めする際に、操作者を補助するように適合されている、識別可能な印のパターン、
を備える、医療デバイス。
【請求項５９】
前記一部が、前記エネルギー伝達媒体の遠位端に位置している、請求項５８に記載のデバイス。
【請求項６０】
前記印が、螺旋パターンを備える、請求項５８に記載のデバイス。
【請求項６１】
前記印が、市松模様のパターンを備える、請求項５８に記載のデバイス。
【請求項６２】
前記標的が、第１の経路内に保持され、そして前記エネルギーが、該第１の経路とは異なる第２の経路に沿って伝達され、そして該第２の経路から前記標的の方へと再度方向付けられる、請求項５８に記載のデバイス。
【請求項６３】
前記エネルギー伝達媒体が、光ファイバーである、請求項５８に記載のデバイス。
【請求項６４】
前記識別可能な印のパターンが、非反射性コーティング、および低反射性コーティングのうちの少なくとも１つを備える、請求項５８に記載のデバイス。
【請求項６５】
ガイドワイヤをさらに備え、該ガイドワイヤは、該ガイドワイヤの遠位端に配置された、異なる識別可能な印のパターンを有する、請求項５８に記載のデバイス。
【請求項６６】
医療デバイスであって、該医療デバイスは、
吸引コンジットであって、該吸引コンジットは、体腔から物質を除去し得、そして該医療デバイスの遠位領域に吸引を提供するように構成されている、吸引コンジット；
光ファイバーであって、該光ファイバーは、体腔内の物質を断片化し得るか、凝固させ得るか、または蒸発させ得るエネルギーを伝達するように構成されており、伝達されるエネルギーの少なくとも一部は、該吸引コンジットの遠位領域の方へと方向付けられる、光ファイバー；および
バリアであって、該バリアは、該バリアと該吸引コンジットの遠位端との間にギャップが形成されるように、該吸引コンジットの遠位端を越えて位置決めされており、該バリアは、該光ファイバーを収容するチャネルを備える、バリア；
を備え、
該ギャップのサイズは、該吸引コンジットを通して除去される物体のサイズを制限するように構成されている、医療デバイス。
【請求項６７】
前記光ファイバーが、束として一緒に合わさっている複数の光ファイバーを備える、請求項６６に記載の医療デバイス。
【請求項６８】
前記光ファイバーが、材料組成物の光学コアを備え、該材料組成物が、該光ファイバーの拡大した遠位端を形成している、請求項６６に記載の医療デバイス。
【請求項６９】
前記光ファイバーが、角度の付いた先端を有する、請求項６６に記載の医療デバイス。
【請求項７０】
前記光ファイバーの遠位領域が、裸の光学コアおよび反射性コーティングを備える、請求項６６に記載の医療デバイス。
【請求項７１】
前記光ファイバーの遠位領域が、前記エネルギーの放射を可能にするための少なくとも１つの側面窓を規定している、請求項６６に記載の医療デバイス。
【請求項７２】
前記エネルギーが、ホルミウムレーザーである、請求項６６に記載の医療デバイス。
【請求項７３】
前記バリアが、光透過性材料から形成されており、該光透過性材料が、前記光ファイバーのためのレンズとして働く、請求項６６に記載の医療デバイス。
【請求項７４】
医療デバイスであって、該医療デバイスは、
吸引コンジットであって、該吸引コンジットは、体腔から物質を除去し得、そして該医療デバイスの遠位領域に吸引を提供するように構成されている、吸引コンジット；
エネルギー伝達コンジットであって、該エネルギー伝達コンジットは、体腔内の物質を断片化し得るか、凝固させ得るか、または蒸発させ得るエネルギーを伝達するように構成されており、伝達されるエネルギーの少なくとも一部は、該吸引コンジットの遠位領域の方へと方向付けられる、エネルギー伝達コンジット；
チャネルであって、該チャネルは、該吸引コンジットに挿入され、該医療デバイスに沿って延び、そして該エネルギー伝達コンジットを収容している、チャネル；および
バリアであって、該バリアは、該バリアと該吸引コンジットの遠位端との間にギャップが形成されるように、該吸引コンジットの遠位端を越えて位置決めされており、該バリアは、該光ファイバーを収容するチャネルを備える、バリア；
を備え、
該ギャップのサイズは、該吸引コンジットを通して除去される物体のサイズを制限するように構成されている、医療デバイス。
【請求項７５】
前記バリアが、前記チャネルの遠位端で形成されており、そして該チャネルが、該バリアを通って延びている、請求項７４に記載の医療デバイス。
【請求項７６】
前記エネルギー伝達コンジットの遠位端が、前記チャネルを越えて、前記バリアの外側まで延びている、請求項７５に記載の医療デバイス。
【請求項７７】
前記エネルギー伝達コンジットの遠位端が、前記チャネルの遠位端に対して近位に配置されている、請求項７５に記載の医療デバイス。
【請求項７８】
医療デバイスであって、該医療デバイスは、
吸引コンジットであって、該吸引コンジットは、体腔から物質を除去し得、そして該医療デバイスの遠位領域に吸引を提供するように構成されている、吸引コンジット；
エネルギー伝達コンジットであって、該エネルギー伝達コンジットは、体腔内の物質を断片化し得るか、凝固させ得るか、または蒸発させ得るエネルギーを伝達するように構成されており、伝達されるエネルギーの少なくとも一部は、該吸引コンジットの遠位領域の方へと方向付けられる、エネルギー伝達コンジット；および
バリアであって、該バリアは、該バリアと該吸引コンジットの遠位端との間にギャップが形成されるように、該吸引コンジットの遠位端の外側に位置決めされている、バリア；
を備え、
該バリアは、湾曲した形状を有し、該湾曲した形状は、該吸引コンジットの遠位領域において、カップを形成しており；そして
該ギャップのサイズは、該吸引コンジットを通して除去される物体のサイズを制限するように構成されている、医療デバイス。
【請求項７９】
医療デバイスであって、該医療デバイスは、
吸引コンジットであって、該吸引コンジットは、体腔から物質を除去し得、そして該医療デバイスの遠位領域に吸引を提供するように構成されている、吸引コンジット；
エネルギー伝達コンジットであって、該エネルギー伝達コンジットは、体腔内の物質を断片化し得るか、凝固させ得るか、または蒸発させ得るエネルギーを伝達するように構成されており、伝達されるエネルギーの少なくとも一部は、該吸引コンジットの遠位領域の方へと方向付けられる、エネルギー伝達コンジット；
バリアであって、該バリアは、該バリアと該吸引コンジットの遠位端との間にギャップが形成されるように、該吸引コンジットの遠位端の外側に位置決めされており、
該ギャップのサイズは、該吸引コンジットを通して除去される物体のサイズを制限するように構成されている、バリア；および
識別可能な印のパターンであって、該識別可能な印のパターンは、該エネルギー伝達コンジットの遠位端部分に配置されており、そして医療手順の間に、該エネルギー伝達コンジットを位置決めする際に、操作者を補助するように構成されている、識別可能な印のパターン、
を備える、医療デバイス。
【請求項８０】
前記印が、螺旋パターンを備える、請求項７９に記載の医療デバイス。
【請求項８１】
前記印が、市松模様のパターンを備える、請求項７９に記載の医療デバイス。
【請求項８２】
前記伝達されるエネルギーが、熱、電気、光、音、無線周波、機械的力、または化学剤のうちの少なくとも１つの形態である、請求項７９に記載の医療デバイス。
【請求項８３】
医療デバイスであって、該医療デバイスは、
吸引コンジットであって、該吸引コンジットは、体腔から物質を除去し得、そして該医療デバイスの遠位領域に吸引を提供するように構成されている、吸引コンジット；
細長ハウジングであって、該細長ハウジングは、該医療デバイスに沿って延びる複数のチャネルを有し、そして該吸引コンジットから半径方向に間隔を空けている、細長ハウジング；
少なくとも１つのエネルギー伝達コンジットであって、該エネルギー伝達コンジットは、該複数のチャネルのうちの１つに収容されており、そして体腔内の物質を断片化し得るか、凝固させ得るか、または蒸発させ得るエネルギーを伝達するように構成されており、伝達されるエネルギーの少なくとも一部は、該吸引コンジットの遠位領域の方へと方向付けられる、エネルギー伝達コンジット；および
光学装置であって、該光学装置は、少なくとも１つのエネルギー伝達コンジットの遠位端の近くに配置されており、そして該吸引コンジットの遠位領域の方へとエネルギーを方向付けることを補助する、光学装置、
を備える、医療デバイス。
【請求項８４】
前記複数のチャネルのうちの１つは、洗浄チャネルであり、該洗浄チャネルは、洗浄剤供給源から冷却剤を運ぶ、請求項８３に記載の医療デバイス。
【請求項８５】
前記複数のチャネルのうちの１つは、ガイドワイヤを収容する、請求項８３に記載の医療デバイス。
【請求項８６】
前記チャネルのうちの２つの各々が、前記医療デバイスの遠位端に接続された引きワイヤを収容し、該引きワイヤは、該医療デバイスの遠位端の偏向を可能にするように構成されている、請求項８３に記載の医療デバイス。
【請求項８７】
複数のエネルギー伝達コンジットをさらに備え、各コンジットが、前記医療デバイスの複数のチャネルの別々のチャネルに収容されている、請求項８３に記載の医療デバイス。
【請求項８８】
前記光学装置が、レンズを備える、請求項８３に記載の医療デバイス。
【請求項８９】
前記光学装置が、反射性表面を備える、請求項８３に記載の医療デバイス。
【請求項９０】
前記伝達されるエネルギーが、熱、電気、光、音、無線周波、機械的力または化学剤のうちの少なくとも１つの形態である、請求項８３に記載の医療デバイス。
【請求項９１】
医療デバイスであって、該医療デバイスは、
吸引コンジットであって、該吸引コンジットは、体腔から物質を除去し得、そして該医療デバイスの遠位領域に吸引を提供するように構成されている、吸引コンジット；
細長ハウジングであって、該細長ハウジングは、該医療デバイスに沿って延びる複数のチャネルを有し、そして該吸引コンジットから半径方向に間隔を空けている、細長ハウジング；
少なくとも１つのエネルギー伝達コンジットであって、該エネルギー伝達コンジットは、該複数のチャネルのうちの１つに収容されており、そして体腔内の物質を断片化し得るか、凝固させ得るか、または蒸発させ得るエネルギーを伝達するように構成されており、伝達されるエネルギーの少なくとも一部は、該吸引コンジットの遠位領域の方へと方向付けられる、エネルギー伝達コンジット；
を備え、
該エネルギー伝達コンジットが、光ファイバーを備える、医療デバイス。
【請求項９２】
前記エネルギーの供給源が、ホルミウムレーザーである、請求項９１に記載の医療デバイス。
【請求項９３】
医療デバイスであって、該医療デバイスは、
吸引コンジットであって、該吸引コンジットは、体腔から物質を除去し得、そして該医療デバイスの遠位領域に吸引を提供するように構成されている、吸引コンジット；
細長ハウジングであって、該細長ハウジングは、該医療デバイスに沿って延びる複数のチャネルを有し、そして該吸引コンジットから半径方向に間隔を空けている、細長ハウジング；
少なくとも１つのエネルギー伝達コンジットであって、該エネルギー伝達コンジットは、該複数のチャネルのうちの１つに収容されており、そして体腔内の物質を断片化し得るか、凝固させ得るか、または蒸発させ得るエネルギーを伝達するように構成されており、伝達されるエネルギーの少なくとも一部は、該吸引コンジットの遠位領域の方へと方向付けられる、エネルギー伝達コンジット；および
識別可能な印のパターンであって、該識別可能な印のパターンは、少なくとも１つのエネルギー伝達コンジットの遠位端部分に配置されており、そして医療手順の間、該エネルギー伝達コンジットの位置決めの際に、操作者を補助するように構成されている、識別可能な印のパターン、
を備える、医療デバイス。
【請求項９４】
前記印が、螺旋パターンを備える、請求項９３に記載の医療デバイス。
【請求項９５】
前記印が、市松模様のパターンを備える、請求項９３に記載の医療デバイス。
【請求項９６】
医療デバイスであって、該医療デバイスは、
遠位端に開口部を有する細長ハウジング、
吸引コンジット（１）であって、該吸引コンジットは、該ハウジングを通過し、そして吸引経路に沿って該開口部の方へと吸引を提供するように適合されている、吸引コンジット、
エネルギー伝達コンジット（２）であって、該エネルギー伝達コンジットは、該ハウジングの内部に位置しており、そして近位端（２６）および遠位端（２８）を有し、そして該近位端（２６）から、該吸引経路とは異なるエネルギー伝達経路に沿って、エネルギーを伝達するように適合されている、エネルギー伝達コンジット、ならびに
光学装置（３０）、
を備え、
該医療デバイスは、該光学装置（３０）が、該ハウジングの遠位端の内部で、該開口部に対して近位に後退しており、該エネルギー伝達コンジットによって伝達される光エネルギーを、該吸引コンジット（１）の遠位領域（５）において、該エネルギー伝達経路から該吸引経路の方へと再度方向付けることを特徴とする、医療デバイス。
【請求項９７】
前記吸引コンジット（１）が、ポンプ（３）に接続可能な近位端を有し、これによって、該吸引コンジット（１）の遠位領域（５）に吸引を提供し；そして前記エネルギー伝達コンジット（２）の近位端が、レーザーエネルギー供給源に接続可能である、請求項９６に記載のデバイス。
【請求項９８】
前記吸引コンジット（１）が、該吸引コンジットの側面に少なくとも１つの開口部（３９）を備える、請求項９７に記載のデバイス。
【請求項９９】
前記吸引コンジット（１）の遠位領域（５）の近くに配置されたバリア（２５）をさらに備える、請求項９７または９８に記載のデバイス。
【請求項１００】
前記エネルギー伝達コンジット（２）が、内視鏡で識別可能なマーキングを備える、請求項９７〜９９のいずれか１項に記載のデバイス。
【請求項１０１】
前記吸引コンジット（１）または前記エネルギー伝達コンジット（２）、あるいはこれらの両方が、非反射性コーティングまたは低反射性コーティングを備える、請求項９７〜１００のいずれか１項に記載のデバイス。
【請求項１０２】
照明用のチャネルおよび視覚化用のチャネルをさらに備える、請求項９７〜１０１のいずれか１項に記載のデバイス。
【請求項１０３】
ガイドワイヤ（４６）をさらに備える、請求項９７〜１０２のいずれか１項に記載のデバイス。
【請求項１０４】
引きワイヤ（４７）をさらに備える、請求項９７〜１０３のいずれか１項に記載のデバイス。
【請求項１０５】
前記エネルギー伝達コンジット（２）が、少なくとも１つのレーザーファイバー（２２）である、請求項９７〜１０４のいずれか１項に記載のデバイス。
【請求項１０６】
前記レーザーファイバー（２２）が、光学コアを備え、そして該光学コアが、拡大した遠位端をさらに備える、請求項１０５に記載のデバイス。
【請求項１０７】
前記レーザーファイバー（２２）が、角度の付いた先端を有する、請求項１０５または１０６に記載のデバイス。
【請求項１０８】
前記レーザーファイバー（２２）の遠位領域が、裸の光学コアおよび反射性コーティングを備える、請求項１０５〜１０７のいずれか１項に記載のデバイス。
【請求項１０９】
前記レーザーファイバー（２２）の遠位領域が、少なくとも１つの側面開口部を規定し、該レーザーファイバーの遠位端に加えて、該レーザーファイバーの遠位領域に沿ったレーザーエネルギーの放射を可能にする、請求項１０５〜１０８のいずれか１項に記載のデバイス。
【請求項１１０】
前記エネルギー伝達コンジット（２）が、複数のレーザーファイバーを備える、請求項９７〜１０９のいずれか１項に記載のデバイス。
【請求項１１１】
前記複数のレーザーファイバーが、束として一緒に合わさっている、請求項１１０に記載のデバイス。
【請求項１１２】
前記レーザーエネルギーが、ホルミウムレーザーである、請求項９７〜１１１のいずれか１項に記載のデバイス。
【請求項１１３】
前記光学装置が、鏡またはレンズである、請求項９６に記載のデバイス。
【請求項１１４】
前記吸引コンジット（１）の遠位領域（５）の近くに配置されたバリア（２５）をさらに備える、請求項１１３に記載のデバイス。
【請求項１１５】
遠位端（１６）を有するハウジング（１０）をさらに備え、前記エネルギー伝達コンジット（２）の遠位端が、該ハウジング（１０）の遠位端（１６）の内部に後退している、請求項１１４に記載のデバイス。